(57)【特許請求の範囲】
【請求項１】
複数の支持杭で支持する既設の上部工の前方に上部工を延設し、延設した上部工を水平支持手段により支持しつつ該上部工に付設した杭ガイド筒に支持杭を内挿して立設して行う簡易仮橋の架設工法であって、
複数の杭ガイド筒を具備した桁受材と、該桁受材の直交方向に配置され、杭ガイド筒を介して桁受材の両端部に着脱可能に連結した一対の側方つなぎ材とを具備した平面コ字形を呈する手延仮桁を組み立てる第１工程と、
既設上部工の前方に前記手延仮桁を連結して延設した後に、水平支持手段を介して延設した手延仮桁を支持する第２工程と、
前記手延仮桁の杭ガイド筒に内挿して支持杭を立設する第３工程と、
前記杭ガイド筒を介して延設した手延仮桁の桁受材を橋軸横断方向に向けて支持杭の頭部間に架設する第４工程と、
既設の手延仮桁と前記延設した手延仮桁の桁受材間に主桁を搭載して上部工を組み立てる第５工程と、
前記既設の手延仮桁の桁受材から分離した一対の側方つなぎ材を撤去する第６工程とを含み、
前記した工程１〜６をスパン単位で繰り返して行うことを特徴とする、
簡易仮橋の架設工法。
【請求項２】
撤去した前記一対の側方つなぎ材を転用して次スパンの手延仮桁を組み立てることを特徴とする、請求項１に記載の簡易仮橋の架設工法。
【請求項３】
前記杭ガイド筒が支持杭を挿通可能な筒部と、筒部の外周面に橋軸方向に沿って突設した複数の連結リブとを有していて、前記連結リブを介して一対の側方つなぎ材が着脱可能であることを特徴とする、請求項１に記載の簡易仮橋の架設工法。
【請求項４】
前記手延仮桁の水平支持手段が、既設上部工に立設した反力支柱と、反力支柱の頂部を中心に既設上部工と延設した手延仮桁との間に張設した複数の斜張材との組み合わせからなり、前記水平支持手段をスパン単位で移設して使用することを特徴とする、請求項１に記載の簡易仮橋の架設工法。
【発明の詳細な説明】
【技術分野】
【０００１】
本発明は簡易仮橋の架設方法に関するものである。
【背景技術】
【０００２】
特許文献１には、ユニット化した桟橋パネルを用い、仮橋、仮桟橋工を斜張設備により上部工架設を先行して施工する簡易仮橋の架設方法が開示されている。
図８，９を参照して説明すると、従来はつぎの工程１〜工程４を１スパン単位で反復して施工している。
（１）桟橋パネルの平場地組工程
図８に示すように、縦横方向に配置した複数の主桁８１と受桁８２等を連結して格子状に組み立てると共に、受桁８２の一部に複数の杭ガイド筒８３を付設した剛性構造の桟橋パネル８０を平場で地組みする。
（２）桟橋パネルの架設工程
図９に示すように、クレーンで懸吊した桟橋パネル８０の一端を、既設の桟橋パネル８０ａの前部に連結して延設する。
この際、既設の上部工に反力支柱８５を立設し、反力支柱８５の頂部と延設した桟橋パネル８０の間、及びに反力支柱８５の頂部と既設の桟橋パネル８０ａの間に夫々斜張材８４，８６を接続して桟橋パネル８０を水平に支持する。
（３）支持杭の打込み工程
手延べした桟橋パネル８０の前端の各杭ガイド筒８３に内挿して支持杭８７を打ち込み、支持杭８７の頭部と杭ガイド筒８３を連結する。桟橋パネル８０の上面に床板８９を敷設する。
（４）補強材の取り付け工程
横繋ぎ材や垂直ブレス材等の補強材８８をクレーンで懸吊し、隣り合う支持杭８７間に補強材８８を架け渡し、補強材８８の側端部を溶接して支持杭８７に固定する。
【先行技術文献】
【特許文献】
【０００３】
【特許文献１】特開平１０−４６５２３号公報
【発明の概要】
【発明が解決しようとする課題】
【０００４】
既述した従来の簡易仮橋の架設技術はつぎのような問題点を有する。
＜１＞ユニット化された桟橋パネル８０には、上部工だけでなくクレーン等の重機類の重量も直接負荷することから、桟橋パネル８０は載荷重に耐え得る強度に製作した専用品となる。
そのために一枚当たりの桟橋パネル８０のコストが非常に高いものとなる。
＜２＞上記したように桟橋パネル８０の主桁８１には大きな上載荷重が負荷することから、主桁８１の基端の端面と既設の受桁８２の前面との間を強固に連結する必要があり、主桁８１と既設の受桁８２の連結部の増強コストが高くなる。
＜３＞上部工を構成する桟橋パネル８０は、簡易仮橋の全長に亘って連設しなければならず、大量の桟橋パネル８０を使用することが工費高騰の一因となっている。
＜４＞桟橋パネル８０が標準化されていることに伴い、橋軸方向の長さを現場で変更することができない。
橋軸方向の長さを標準化されていない寸法に変更する場合は、桟橋パネル８０を別途に製作すればよいが、桟橋パネル８０の製作コストが更に増すために、橋軸方向の長さ変更に伴うコストが非常に高くつく。
【０００５】
本発明は以上の点に鑑みて成されたもので、その目的とするところはつぎの簡易仮橋の架設方法を提供することにある。
＜１＞汎用資材を使用できて工費の大幅削減が可能であること。
＜２＞簡易仮橋の上部工を構成する資材を簡略化できること。
＜３＞橋軸方向の長さ変更の経済性と対応性に優れていること。
【課題を解決するための手段】
【０００６】
本発明は、複数の支持杭で支持する既設の上部工の前方に上部工を延設し、延設した上部工を水平支持手段により支持しつつ該上部工に付設した杭ガイド筒に支持杭を内挿して立設して行う簡易仮橋の架設工法であって、複数の杭ガイド筒を具備した桁受材と、該桁受材の直交方向に配置され、杭ガイド筒を介して桁受材の両端部に着脱可能に連結した一対の側方つなぎ材とを具備した平面コ字形を呈する手延仮桁を組み立てる第１工程と、既設上部工の前方に前記手延仮桁を連結して延設した後に、水平支持手段を介して延設した手延仮桁を支持する第２工程と、前記手延仮桁の杭ガイド筒に内挿して支持杭を立設する第３工程と、前記杭ガイド筒を介して延設した手延仮桁の桁受材を橋軸横断方向に向けて支持杭の頭部間に架設する第４工程と、既設の手延仮桁と前記延設した手延仮桁の桁受材間に主桁を搭載して上部工を組み立てる第５工程と、前記既設の手延仮桁の桁受材から分離した一対の側方つなぎ材を撤去する第６工程とを含み、前記した工程１〜６をスパン単位で繰り返して行うことを特徴とする。
本発明の他の形態において、撤去した前記一対の側方つなぎ材を転用して次スパンの手延仮桁を組み立てる。
本発明の他の形態において、前記杭ガイド筒が支持杭を挿通可能な筒部と、筒部の外周面に橋軸方向に沿って突設した複数の連結リブとを有していて、前記連結リブを介して一対の側方つなぎ材が着脱可能である。
本発明の他の形態において、前記手延仮桁の水平支持手段が、既設上部工に立設した反力支柱と、反力支柱の頂部を中心に既設上部工と延設した手延仮桁との間に張設した複数の斜張材との組み合わせからなり、前記水平支持手段をスパン単位で移設して使用する。
【発明の効果】
【０００７】
本発明は少なくともつぎのひとつの効果を奏する。
＜１＞複数組（少数組）の手延仮桁を使用することで簡易仮橋を施工できるので、従来工法で使用していた大量の専用の桟橋パネルの使用を省略することができる。
＜２＞手延仮桁を使用することで、主桁に汎用の鋼材を使用できるので、手延仮桁を低廉に組み立てることができる。
＜３＞手延仮桁が桁受材の両端に一対の側方つなぎ材を連結しただけの簡単な構造であることと、着脱可能な側方つなぎ材を手延仮桁の構成材として繰り返し使用できることに伴い、ユニット化した大量の専用の桟橋パネルを使用する従来工法と比べて工費を大幅に削減できる。
＜４＞桁受材に対して長さの異なる側方つなぎ材を簡単に付け替えできるので、従来工法で使用するユニット化した専用品の桟橋パネルと比べて、橋軸方向の長さの変更に対する経済性および対応性が格段によくなる。
＜５＞主桁は一対の桁受材の上面に載置して掛け渡すことができるので、従来工法のように主桁の側端面に連結リブを突設したり、多数の連結ピンや高強度ボルト等で連結したりして連結部を増強する必要がなくなる。
さらに桁受材は鋼材の端部に杭ガイド筒を付設しただけの簡単な構造である。
したがって、簡易仮橋の上部工を構成する桁受材や主桁の構造を簡略化できる。
【図面の簡単な説明】
【０００８】
【図１】本発明に係る簡易仮橋の架設方法の説明図
【図２】施工に使用する手延仮桁の斜視図
【図３】簡易仮橋の架設方法の説明図で、手延仮桁の水平架設工程を示した簡易仮橋の側面
【図４】簡易仮橋の架設方法の説明図で、支持杭の立設工程を示した簡易仮橋の側面
【図５】簡易仮橋の架設方法の説明図で、主桁と床板の敷設工程を示した簡易仮橋の側面
【図６】一部を省略した図５の平面図
【図７】簡易仮橋の架設方法の説明図で、水平支持手段の移設工程と側方つなぎ材の撤去工程を示した簡易仮橋の側面
【図８】桟橋パネルの斜視図
【図９】桟橋パネルを用いた従来の簡易仮橋の架設方法の説明図
【発明を実施するための形態】
【０００９】
以下に図面を参照しながら本発明を詳細に説明する。
【００１０】
＜１＞簡易仮橋の使用資材
図１を参照して簡易仮橋の施工に用いる架設資材について説明する。
簡易仮橋１０は下部工を構成する複数の支持杭２０と、支持杭２０の頭部間に架設した上部工とを具備する。
上部工は複数の支持杭２０の頭部間を橋軸横断方向に横架した桁受材３１と、桁受材３１に支持され、橋軸方向に配置する複数の主桁４０と、主桁４０の上面に敷設した覆工板等の床板４１とを具備する。
本発明では、既設上部工の前端に橋軸方向に張り出した平面形状がコ字形を呈する手延仮桁３０と、手延仮桁３０を支持する水平支持手段とを使用して上部工を施工する。
【００１１】
＜２＞手延仮桁
図２を参照して説明すると、手延仮桁３０は杭ガイド筒３３（連結機構）を具備した桁受材３１と、杭ガイド筒３３を介して桁受材３１と着脱可能に設けた左右一対の側方つなぎ材３２，３２とを有する。
従来工法で使用する桟橋パネルのように、手延仮桁３０には主桁が組み込まれておらず、主桁４０は手延仮桁３０と別部材として使用する。
桁受材３１だけでなく側方つなぎ材３２についても、安価な汎用鋼材（Ｈ型鋼等）を使用して簡単に組み立てたものを使用できるので、手延仮桁３０の組み立てコストを低廉に抑えることができる。
公知のリース材を用いて手延仮桁３０を組み立てる場合も同様にリース料を大幅に低減できる。
【００１２】
＜２．１＞桁受材
桁受材３１は上部工の構成材を兼ねていて、支持杭２０の頭部間に橋軸横断方向に向けて架設される。
桁受材３１は複数の杭ガイド筒３３を具備している。
本例では、桁受材３１の両端部に２つの杭ガイド筒３３を設けた形態を示すが、桁受材３１は３つ以上の杭ガイド筒３３を具備していてもよい。
桁受材３１と杭ガイド筒３３の間は、溶接またはボルト止め等により一体構造となっている。
【００１３】
＜２．２＞杭ガイド筒
杭ガイド筒３３は、支持杭２０の立設ガイド機能と、桁受材３１及び側方つなぎ材３２の間を連結する機能を併有した縦向きの筒体である。
図２に例示した杭ガイド筒３３について説明すると、杭ガイド筒３３は支持杭２０を挿通可能な筒部３３ａと、筒部３３ａの上下に設けた環状のフランジ３３ｂ，３３ｃと、筒部３３ａの外周面に橋軸方向に沿って突設した複数の連結リブ３３ｄとを有している。
上位のフランジ３３ｂに固定蓋３３ｅを取り付けて筒部３３ａの上口を閉鎖することで、打ち込みを終えた支持杭２０の頭部と杭ガイド筒３３の間を固定することが可能である。
【００１４】
＜２．３＞側方つなぎ材
側方つなぎ材３２は上部工の構成材ではなく、桁受材３１を既設上部工の最前から離隔して位置させるための間隔保持部材であり、支持杭２０の頭部間に橋軸方向に向けて架設される。
側方つなぎ材３２の両端面には橋軸方向に沿って連結リブ３２ａが突設してあり、図外の複数の連結用のボルト又はピンを介して杭ガイド筒３３の連結リブ３３ｄと連結及び分離可能である。
【００１５】
＜２．３．１＞側方つなぎ材を着脱式にした理由
側方つなぎ材３２を桁受材３１に対して着脱可能に構成したのは、同一の側方つなぎ材３２を転用して使用するためと、手延仮桁３０の水平張出長さを簡単に変更するためである。
【００１６】
＜２．３．２＞側方つなぎ材の資材例
側方つなぎ材３２には、低廉な既存の形鋼単体や鈑桁を使用できるだけでなく、複数の鋼材を組み合せたトラス構造体等を使用することもできる。
上部工を構成しない側方つなぎ材３２には大きな載荷重が負荷しないので、側方つなぎ材３２の強度は桁受材３１や主桁４０と比較して格段に小さくてよく、自重を支えられるだけの強度で十分である。
【００１７】
＜２．４＞手延仮桁の使用数
従来工法では簡易架橋の全長に亘って多数の桟橋パネルを連設する必要があった。
これに対し本発明では、手延仮桁３０を簡易架橋の全長に亘って連接する必要はなく、最低２組の手延仮桁３０を使用するだけで施工が可能である。
【００１８】
＜３＞水平支持手段
手延仮桁３０の水平支持手段は、既設上部工に立設した反力支柱４３と、反力支柱４３の頂部と既設上部工の間に張設した第１斜張材４４と、反力支柱４３の頂部と手延べした手延仮桁３０の間に張設した第２斜張材４５とを具備する。
第１又は第２斜張材４４，４５には引張耐力に優れた鋼材、鎖、ロープ材の何れか一つ、又はこれらを組み合せて適用可能であり、チェーンブロック等の長さ調整機器を介装する場合もある。
本例では、既設の支持杭２０の真上に反力支柱４３を立設した形態を示すが、既設の支持杭２０の近傍の既設上部工に立設してもよい。
【００１９】
尚、水平支持機構は本例に例示した機構に限定されず、既設上部工から反力を得て、既設上部工の前端に張り出した手延仮桁３０を水平に支持できる公知の支持機構を適用できる。
【００２０】
［簡易仮橋の架設方法］
つぎに簡易仮橋１０の架設方法について説明する。
【００２１】
＜１＞反力支柱の立設
図３は施工途中の簡易仮橋１０を示していて、簡易仮橋１０の上部工を構成する複数の主桁４０と床板４１は、複数の支持杭２０ａ，２０ｂと、これら各支持杭２０ａ，２０ｂの横架した第１手延仮桁３０Ａによって支持されている。
床板４１の上面には移動式クレーン等の重機５０が搭載されている。
【００２２】
簡易仮橋１０を延長するには、最前の支持杭２０ｂの真上に反力支柱４３を立設すると共に、反力支柱４３の頂部と既設上部工の間に第１斜張材４４を張設する。
【００２３】
＜２＞手延仮桁の組み立て
地上、又は既設上部工の上面でコ字形の第２手延仮桁３０Ｂを組み立てる。
第１及び第２手延仮桁３０Ａ，３０Ｂには、図２に示した同一構造の手延仮桁３０を使用する。
【００２４】
＜３＞手延仮桁の水平架設
図３を参照して説明すると、重機５０を使用して第２手延仮桁３０Ｂを既設の第１手延仮桁３０Ａの延長位置に吊り込み、連結機構である杭ガイド筒３３を介して連結する。
すなわち、第２手延仮桁３０Ｂを構成する各側方つなぎ材３２，３２の自由端の連結リブ３２ａと杭ガイド筒３３の連結リブ３３ｄを重合させ、その重合部にボルト又はピンを挿通して連結する。
【００２５】
第２手延仮桁３０Ｂの左端を既設の第１手延仮桁３０Ａの右端に連結しただけでは、第２手延仮桁３０Ｂの水平性を保持できない。
そこで、図４に示すように、反力支柱４３の頂部と第２手延仮桁３０Ｂの間に第２斜張材４５を張設し、反力支柱４３と第１及び第２斜張材４４，４５が協働して第２手延仮桁３０Ｂを水平に支持する。
【００２６】
＜４＞支持杭の立設
図４を参照して説明すると、重機５０に吊り下げた立設予定の支持杭２０ｃを吊り上げ、第２手延仮桁３０Ｂの最前の杭ガイド筒３３に内挿しながら鉛直に建て込む。
地盤が硬質である場合には、支持杭２０ｃに公知の削孔機を内挿して削孔しながら支持杭２０ｃを所定の深さまで打ち込む。
そして、各支持杭２０ｃの頭部を第２手延仮桁３０Ｂの杭ガイド筒３３に固定し、第２手延仮桁３０Ｂの自重を複数の支持杭２０ｂ，２０ｃに支持させる。
支持杭２０ｃの頭部が杭ガイド筒３３の上方へ突出している場合は、支持杭２０ｃの突出部をガス切断した後に第２手延仮桁３０Ｂと固定する。
【００２７】
＜５＞主桁と床板の敷設
図５，６を参照して説明すると、第１及び第２手延仮桁３０Ａ，３０Ｂの橋軸横断方向に沿って並設した一対の桁受材３１，３１の間に主桁４０を載置するとともに、複数の主桁４０上に床板４１を敷設する。主桁４０や床板４１の重量は一対の桁受材３１，３１を介して複数の支持杭２０ｂ，２０ｃが支持する
一対の側方つなぎ材３２，３２は主桁４０や床板４１の外方に位置するので、側方つなぎ材３２に主桁４０や床板４１の重量は作用しない。
【００２８】
主桁４０は一対の桁受材３１，３１の上面に載置して掛け渡すことができるので、従来工法のように主桁４０の側端面に連結リブを突設したり、高強度ボルトで連結したりして連結部を増強する必要がなくなる。
さらに主桁４０には、既存の形鋼単体、鈑桁、トラス構造体等を使用できるので、従来工法で使用する主桁を一体に組み込んだ多数の桟橋パネルを使用する場合と比べて極めて経済的である。
【００２９】
＜６＞水平支持手段の撤去と移設
水平支持手段を構成する反力支柱４３、第１、第２斜張材４４，４５を撤去する。
撤去した反力支柱４３は最前の支持杭２０ｃの真上に移設し、第１斜張材４４も同様に移設する。
この水平支持手段の移設作業は、主桁４０と床板４１の敷設作業の直前に行ってもよい。
【００３０】
＜７＞側方つなぎ材の撤去
第１手延仮桁３０Ａを構成する一対の側方つなぎ材３２の両端を杭ガイド筒３３から分離して撤去する。第１手延仮桁３０Ａを構成する桁受材３１は上部工としてそのまま残置する。
撤去した側方つなぎ材３２は次スパンの手延仮桁３０の組み立て用資材として用いる。
尚、側方つなぎ材３２の撤去作業は、主桁４０と床板４１の敷設作業の直前に行ってもよい。
【００３１】
＜８＞作業の繰り返し
以上説明したように、手延仮桁３０の組み立て、手延仮桁３０の水平架設、支持杭２０の立設、主桁４０と床板４１の敷設、水平支持手段の移設、側方つなぎ材３２の撤去の一連の作業を、スパン単位で反復して行う。
【００３２】
なお、簡易架橋１０の上部工は、水平に架設する以外に上下方向に勾配を付与したり、左右方向に蛇行させたりして施工することも可能である。
例えば、手延仮桁３０を構成する杭ガイド筒３３と側方つなぎ材３２との連結部の角度を変更するだけで、上部工に上下方向の勾配をつけるとことが可能である。
また２本の側方つなぎ材３２，３２の何れか一方の長さを変更する等して上部工を左右方向に振ることが可能となる。
【００３３】
＜９＞橋軸方向長さの変更対応性について
簡易架橋１０の施工に使用する手延仮桁３０は、桁受材３１の両端に連結する２本の側方つなぎ材３２，３２の長さを選択して簡単に付け替え可能である。
換言すれば、２本の側方つなぎ材３２，３２の付け替えを行うだけで、手延仮桁３０の橋軸方向の長さを自由に調整できる。
そのため、従来工法で使用するユニット化した専用品の桟橋パネルと比べて、橋軸方向の長さの変更に対する対応性が格段に優れる。
【符号の説明】
【００３４】
１０・・・簡易仮橋
２０・・・支持杭
２０ａ〜２０ｃ・・支持杭
３０・・・手延仮桁
３０Ａ・・第１手延仮桁
３０Ｂ・・第２手延仮桁
３１・・・桁受材
３２・・・側方つなぎ材
３２ａ・・連結リブ
３３・・・杭ガイド筒
３３ａ・・筒部
３３ｂ・・上位のフランジ
３３ｃ・・下位のフランジ
３３ｄ・・連結リブ
３４・・・足場板の高欄
４０・・・主桁
４１・・・床板
４３・・・反力支柱
４４・・・第１斜張材
４５・・・第２斜張材
５０・・・重機
【要約】
【課題】汎用資材を使用できて工費の大幅削減が可能であるとともに、簡易仮橋の上部工を構成する資材を簡略化できる簡易仮橋の架設方法を提供すること。
【解決手段】杭ガイド筒３３を具備した桁受材３１と、着脱可能に連結した一対の側方つなぎ材３２とを具備した平面コ字形を呈する手延仮桁３０を使用し、既設上部工に連結して手延仮桁３０を橋軸方向へ向けて延設する工程と、立設した複数の支持杭２０の頭部間に架設した桁受材３１を残置しつつ、側方つなぎ材３２を撤去する工程と、間隔を隔てた桁受材３１の間に複数の主桁４０を搭載して上部工を組み立てる工程とをスパン単位で繰り返して行う。
【選択図】図１【図１】
0005977904.tif 000002
【図２】
0005977904.tif 000003
【図３】
0005977904.tif 000004
【図４】
0005977904.tif 000005
【図５】
0005977904.tif 000006
【図６】
0005977904.tif 000007
【図７】
0005977904.tif 000008
【図８】
0005977904.tif 000009
【図９】
0005977904.tif 000010